(57)【特許請求の範囲】
【請求項１】
メインフレームと、
ディスクを収納したカートリッジが搭載される第１トレイの摺動をガイドするように前記メインフレームに設けられる第１レールと、
前記メインフレームに着脱自在に設けられ、ディスクが搭載される第２トレイの摺動をガイドする第２レールと、を備えることを特徴とする光ディスクドライブのトレイローディング装置。
【請求項２】
ローディング動作が完了した時に前記第２トレイをロッキングするロッキング手段をさらに備えることを特徴とする請求項１に記載の光ディスクドライブのトレイローディング装置。
【請求項３】
前記ロッキング手段は、前記第２レールと一体に形成され、前記第２トレイが弾力的に挿入される一対の弾力アームであることを特徴とする請求項２に記載の光ディスクドライブのトレイローディング装置。
【請求項４】
前記第２トレイに装着されるディスクの外周面をガイドするディスクガイド部材をさらに備えることを特徴とする請求項１に記載の光ディスクドライブのトレイローディング装置。
【請求項５】
前記ディスクガイド部材は、前記第２レールと一体に形成されることを特徴とする請求項４に記載の光ディスクドライブのトレイローディング装置。
【請求項６】
メインフレームと、
ディスクを収納したカートリッジが搭載される第１トレイの摺動をガイドするように前記メインフレームに設けられる第１レールと、
前記メインフレームに着脱自在に設けられ、ディスクが搭載される第２トレイの摺動をガイドする２ヶ所の第１ガイド部及び前記第２トレイに搭載されたディスクの外周面をガイドするディスクガイド部を備えるフロントガイドと、
前記メインフレームに着脱自在に設けられ、１ヶ所の前記第１ガイド部及び前記第２トレイが弾力的に挿入される一対の弾力アームを備えるリアガイドと、を備える光ディスクドライブのトレイローディング装置。
【請求項７】
ディスクを収納したカートリッジが搭載される第１トレイ及びディスクが搭載される第２トレイを選択的に装着してローディングまたはアンローディングするトレイローディング装置を備える光ディスクドライブにおいて、
前記トレイローディング装置は、
メインフレームと、
前記第１トレイの摺動をガイドするように前記メインフレームに設けられる第１レールと、
前記メインフレームに着脱自在に設けられ、前記第２トレイの摺動をガイドする第２レールと、を備えることを特徴とする光ディスクドライブ。
【請求項８】
前記トレイローディング装置は、ローディング動作が完了した時に前記第２トレイをロッキングするロッキング手段をさらに備えることを特徴とする請求項７に記載の光ディスクドライブ。
【請求項９】
前記ロッキング手段は、前記第２レールと一体に形成され、前記第２トレイが弾力的に挿入される一対の弾力アームであることを特徴とする請求項８に記載の光ディスクドライブ。
【請求項１０】
前記トレイローディング装置は、前記第２トレイに装着されるディスクの外周面をガイドするディスクガイド部材をさらに備えることを特徴とする請求項７に記載の光ディスクドライブ。
【請求項１１】
前記ディスクガイド部材は、前記第２レールと一体に形成されることを特徴とする請求項１０に記載の光ディスクドライブ。
【請求項１２】
ディスクを収納したカートリッジが搭載される第１トレイ及びディスクが搭載される第２トレイを選択的に装着してローディングまたはアンローディングするトレイローディング装置を備える光ディスクドライブにおいて、
前記トレイローディング装置は、
メインフレームと、
前記第１トレイの摺動をガイドするように前記メインフレームに設けられる第１レールと、
前記メインフレームに着脱自在に設けられ、前記第２トレイの摺動をガイドする２ヶ所の第１ガイド部及び前記第２トレイに搭載されたディスクの外周面をガイドするディスクガイド部を備えるフロントガイドと、
前記メインフレームに着脱自在に設けられ、１ヶ所の前記第１ガイド部及び前記第２トレイが弾力的に挿入される一対の弾力アームを備えるリアガイドと、を備えることを特徴とする光ディスクドライブ。
【発明の詳細な説明】
【０００１】
【発明の属する技術分野】
本発明は光ディスクドライブのトレイローディング装置に係り、特に、ディスクカートリッジを搭載するカートリッジトレイ及びディスクを搭載するディスクトレイに対して選択的に適用可能な光ディスクドライブのトレイローディング装置に関する。
【０００２】
【従来の技術】
光ディスクドライブは、回転するディスクの記録面にビームを照射してデータを書き込んだり読み出す装置を言い、一般的に、このような光ディスクドライブは、ディスクまたはカートリッジを搭載したトレイをローディング及びアンローディングするトレイローディング装置を備えている。
【０００３】
以下では、ディスクが収納されたカートリッジを搭載するトレイを第１トレイと称し、ディスクを搭載するトレイを第２トレイと称する。
【０００４】
図１Ａは、従来の光ディスクドライブを示す分解斜視図であり、図１Ｂは、図１ＡのＡ−Ａ’線視断面図である。
【０００５】
図１Ａ及び図１Ｂに示すように、従来の光ディスクドライブは、メインフレーム１００、第１トレイ１１０、デッキ部１２０及び上部フレーム１３０を備える。
【０００６】
メインフレーム１００には、第１トレイ１１０の摺動をガイドする第１レール１４０が備えられている。前記第１レール１４０は、前記第１トレイ１１０の左右壁１１１の底面１１２に接触するようにメインフレーム１００の左右壁１０１から内側に段差が付くように突設されている。また、前記メインフレーム１００には前記第１トレイ１１０を摺動させるための動力を与えるローディングモータ１５０が備えられている。前記ローディングモータ１５０の軸には第１プーリ１５１が挿入されていてベルト１５２によりギア部を有する第２プーリ１５３に伝達され、再びアイドルギア１５４を介してピニオンギア１６０に伝達される。
【０００７】
前記第１トレイ１１０の上面にはカートリッジ１７０を載置するカートリッジ載置面１１４が形成されており、下面にはピニオンギア１６０と連結されるラックギア１１５が備えられている。
【０００８】
デッキ部１２０はディスク１７１を回転させるスピンドルモータ１２１と、ディスク１７１の半径方向に摺動しつつディスク１７１にアクセスする光ピックアップ部１２２とを備える。前記スピンドルモータ１２１の軸にはローディング時にディスク１７１の下面が当接するハブ１２３が挿入されている。前記デッキ部１２０はメインフレーム１００に設けられ、ローディングモータ１５０により駆動されるカム（図示せず）の作用によりローディング時にはディスク１７１の下面に向かって上昇し、アンローディング時には下降する。
【０００９】
上部フレーム１３０はカートリッジ１７０に備えられたシャッタ（図示せず）を開放するシャッタレバー１３１と、前記ハブ１２３と共にディスク１７１をクランピングするクランピング部１３２と、カートリッジ１７０の上面を弾性的に押すカートリッジガイド１３３とを備える。
【００１０】
図１Ｃは、図１Ａに示された光ディスクドライブの平面図である。
図１Ａないし図１Ｃを参照し、トレイローディング動作について説明する。まず、カートリッジ１７０を第１トレイ１１０のカートリッジ載置面１１４に搭載してローディングモータ１５０を回転させる。これによりローディングモータ１５０に係合されたピニオンギア１６０が回転し、この回転力は第１トレイ１１０のラックギア１１５に伝達されて第１トレイ１１０が摺動し始める。
【００１１】
この時、第１トレイ１１０の左右壁１１１の下面１１２は第１レール１４０の上面１４１に接触し、左右壁１１１の上面１１３は上部フレーム１３０の下面に接触してガイドされる。また、第１トレイ１１０に搭載されたカートリッジ１７０の上面は上部フレーム１３０に備えられたカートリッジガイド１３３に接触することにより、第１トレイ１１０が上下方向に遊動せずに摺動する。
【００１２】
第１トレイ１１０がある程度摺動すれば、カートリッジ１７０に設けられたシャッタ（図示せず）が上部フレーム１３０に設けられたシャッタレバー１３１と接触し始め、第１トレイ１１０が摺動するに伴うシャッタレバー１３１の作用によりシャッタが完全に開放される。この時、デッキ部１２０はカム（図示せず）の作用により上昇してスピンドルモータ１２１がディスク１７１に接近し、また、上部フレーム１３０に設けられたクランピング部１３２もディスク１７１に向かって下降する。従って、ディスク１７１の下面はスピンドルモータ１２１に設けられたハブ１２３と接触し、上面はクランピング部１３２と接触してクランピングされる。前述したような構成によりカートリッジ１７０を搭載する第１トレイ１１０のローディングが可能であり、逆順に動作することによりアンローディングが可能である。
【００１３】
もし、前述の如き光ディスクドライブに、場合によって、カートリッジ１７０を搭載する第１トレイ１１０だけではなく、ディスク１７１を搭載する第２トレイ２００も選択的にローディングできるならば、簡便に２種類の光ディスクドライブを生産できる利点が得られる。
【００１４】
図２Ａは第２トレイの斜視図であり、図２Ｂは、図１Ａに示された光ディスクドライブに第２トレイを装着した場合の断面図である。
【００１５】
図２Ａ及び図２Ｂに示すように、第２トレイ２００は、ディスク１７１が搭載されるディスク載置面２１１と、左右側において摺動方向へと形成されたリブ２２０及びラックギア２３０を備えている。第２トレイ２００はローディングモータ１５０と係合されたピニオンギア１６０がラックギア２３０を駆動することにより摺動するが、この時、左右に設けられたリブ２２０の上面２２１及び下面２２２をガイドしなければならない。
【００１６】
このように、第２トレイ２００を前記第１トレイ１１０の代わりに装着する場合には、前記第１レール１４０が前記第２トレイ２００のリブ２２０の下面２２２に接触し、前記上部フレーム１３０の下面がリブ２２０の上面２２１に接触して第２トレイ２００の摺動をガイドできなければならない。
【００１７】
しかしながら、一般的に、第１トレイ１１０は、ディスク１７１をホコリから保護するためにディスク１７１を内蔵しているカートリッジ１７０を搭載しなければならないため、幅Ｗ１がディスク１７１を搭載する第２トレイ２００の幅Ｗ２より広く、厚みＴ１も第２トレイ２００の厚みＴ２より厚い。このため、前述の如き光ディスクドライブに第２トレイ２００を装着すれば、リブ２２０の上面２２１及び下面２２２が第１レール１４０及び上部フレーム１３０の下面に接触できず、摺動する第２トレイ２００が上下方向に遊動するという問題点が生じる。もし、これを解決するために、メインフレーム１００に第２トレイ２００のリブ２２０をガイドできる第２レール（図示せず）を前記第１レール１４０と共に形成するならば、第２トレイより広くて厚い第１トレイ１１０を装着する時に第１トレイ１１０と第２レール（図示せず）とが干渉してしまうため、第１トレイ１１０を装着できなくなる。
【００１８】
結果的に、第１トレイ１１０のためのトレイローディング装置及び第２トレイ１２０のためのトレイローディング装置を別途に製作しなければならない。
【００１９】
【発明が解決しようとする課題】
本発明は前記問題点を解決するためになされたものであり、第１トレイ及び第２トレイを選択的に装着してローディングできる光ディスクドライブのトレイローディング装置を提供するところにその目的がある。
【００２０】
【課題を解決するための手段】
前記目的を達成するために、本発明による光ディスクドライブのトレイローディング装置は、メインフレームと、ディスクを収納したカートリッジが搭載される第１トレイの摺動をガイドするように前記メインフレームに設けられる第１レールと、前記メインフレームに着脱自在に設けられ、ディスクが搭載される第２トレイの摺動をガイドする第２レールとを備える。
【００２１】
また、本発明によるディスクドライブは、ディスクを収納したカートリッジが搭載される第１トレイ及びディスクが搭載される第２トレイを選択的に装着してローディングまたはアンローディングするトレイローディング装置を備える光ディスクドライブであり、前記トレイローディング装置は、メインフレームと、前記第１トレイの摺動をガイドするように前記メインフレームに設けられる第１レールと、前記メインフレームに着脱自在に設けられ、前記第２トレイの摺動をガイドする第２レールとを備える。
【００２２】
ここで、前記トレイローディング装置は、ローディング動作が完了した時に前記第２トレイに弾性的に接触して前記第２トレイをロッキングするロッキング手段と、前記第２トレイに装着されるディスクの外周面をガイドするディスクガイド部材とをさらに備えることができる。前記ロッキング手段及びディスクガイド部材は前記第２レールと一体に形成でき、別途の部品として製作することも可能である。
【００２３】
さらには、本発明によるトレイローディング装置は、メインフレームと、ディスクを収納したカートリッジが搭載される第１トレイの摺動をガイドするように前記メインフレームに設けられる第１レールと、前記メインフレームに着脱自在に設けられ、ディスクが搭載される第２トレイの摺動をガイドする２ヶ所の第１ガイド部及び前記第２トレイに搭載されたディスクの外周面をガイドするディスクガイド部を備えるフロントガイドと、前記メインフレームに着脱自在に設けられ、１ヶ所の前記第１ガイド部及び前記第２トレイが弾力的に挿入される一対の弾力アームを備えるリアガイドとを備えることも可能である。
【００２４】
【発明の実施の形態】
以下、添付した図面に基づき、本発明の好適な実施形態について詳細に説明する。
図３Ａは、本発明によるトレイローディング装置を採用した光ディスクドライブの分解斜視図であり、図３Ｂは、図３ＡのＢ−Ｂ’線視断面図である。
【００２５】
図３Ａ及び図３Ｂを参照すれば、メインフレーム３００には、第１トレイ１１０の摺動をガイドする第１レール１４０が左右壁から内側に段差の付くように突設されており、第１トレイ１１０または第２トレイ２００を摺動するための動力を与えるローディングモータ１５０及び前記ローディングモータ１５０に係合されたピニオンギア１６０が備えられている。
【００２６】
第２レール３１０には、メインフレーム３００の壁に向かって突出された２つの結合部３３０と、第２トレイ２００のリブ２２０の上面２２１及び下面２２２をガイドする断面“コ”字状のレール３２０とが形成されている。ここで、前記レール３２０の上下間隔Ｔ３は第２トレイ２００のリブ２２０の厚みＴ４より若干広く遊びが形成されている。また、前記レール３２０の左右幅Ｗ３は前記第２トレイ２００の左右幅Ｗ２より若干広く形成する。前記結合部３３０は第２レール３１０の本体からメインフレーム３００の壁に向かって延びたフックアーム３３１と、前記フックアーム３３１の端部に形成されたフック３３２とを備える。
【００２７】
メインフレーム３００の左右壁には、第２レール３１０と結合するために、２ヶ所に四角形の貫通部３０１が形成されている。
【００２８】
貫通部３０１に前記結合部３３０を挿入すれば、フックアーム３３１が変形しつつ貫通部３０１に挿入されてフック３３２がメインフレーム３００に係止される。メインフレーム３００に第２レール３１０を固定する方法は前述した方法のほかにねじを用いて締結することも可能であり、これに限定されず、第２レール３１０を選択的に結合または分離できるならば、各種の結合方法を使用できる。
【００２９】
メインフレーム３００に第２レール３１０が設けられれば、第２トレイ２００の左右に形成されたリブ２２０をレール３２０の間に挿入して第２トレイ２００を結合する。
【００３０】
前述したように、トレイローディング装置が完成されれば、ディスク１７１を第２トレイ２００のディスク載置面２１１に搭載してローディングモータ１５０を回転させる。これにより、ローディングモータ１５０の回転力はローディングモータ１５０に係合されたピニオンギア１６０を介して第２トレイ２００のラックギア２３０に伝達され、第２トレイ２００が摺動し始める。この時、第２トレイ２００の左右に形成されたリブ２２０は第２レール３１０のレール３２０に挿入されてガイドされるため、第２トレイ２００が遊動なしに摺動されうる。
【００３１】
第２トレイ２００がある程度摺動してローディングがほとんど完了する時点になれば、第２トレイ２００の下側からカム（図示せず）の作用によりデッキ部１２０が徐々に上昇し、これにより前記デッキ部１２０に設けられたスピンドルモータ１２１の軸に結合されているハブ１２３がディスク１７１の中心に設けられた貫通部に挿入されてディスク１７１をクランピングすることによりローディング動作が完了する。
【００３２】
上述したような構成によりディスク１７１を搭載する第２トレイ２００のローディングが可能であり、逆順に動作することによりアンローディングが可能である。
【００３３】
一般に、第２トレイ２００を使用する場合には、スピンドルモータ１２１の軸に結合されたハブに磁性部があってディスク１７１を磁力により付着してクランピングするため、第１トレイ１１０を使用する場合のようにディスク１７１の上側でクランピングするクランピング部１３２及びカートリッジ１７０のシャッタ（図示せず）を解除するシャッタレバー１３１が不要になる。また、レール３２０によりリブ２２０の上面２２１及び下面２２２がガイドされるため、カートリッジ１７０を上側から付勢するカートリッジガイド１３３も不要である。従って、図１Ａで示した上部フレーム１３０からシャッタレバー１３１と、クランピング部１３２及びカートリッジガイド１３３を分離してメインフレームに結合すれば、第２トレイ２００を使用する光ディスクドライブが得られる。また、コスト下げのためには、図３Ａに示したように単純化した上部ブラケット３７０を結合することも可能である。
【００３４】
このように、第２レール３１０をメインフレーム３００に結合することにより、ディスク１７１を搭載する第２トレイ２００の装着が可能である。
【００３５】
もし、カートリッジ１７０を搭載する第１トレイ１１０を装着しようとする場合には、前記第２レール３１０を分離した後に第１トレイ１１０を装着して上部フレーム１３０を結合すれば、簡単にカートリッジ１７０を使用する光ディスクドライブを製造できる。
【００３６】
図４Ａは、本発明によるロッキング手段を示す斜視図であり、図４Ｂは、図４Ａのロッキング手段によるロッキング状態を示す断面図である。
【００３７】
図４Ａ及び図４Ｂに示すように、第２レール３１０に第２トレイ２００をロッキングするロッキング手段を備えうる。
【００３８】
前記ロッキング手段は、第２レール３１０から第２トレイ２００に向かって上下方向に対面するように突設された一対の弾力アーム４００を備える。前記一対の弾力アーム４００の端部にはリブ２２０と接触する接触部４１０が形成されており、前記両接触部４１０の上下間隔Ｔ５は第２トレイ２００の左右に形成されたリブ２２０の厚みＴ４より狭く形成される。
【００３９】
一般的に、前記ロッキング手段は、第２トレイ２００のローディング中に過度な負荷を与えないために第２トレイ２００の後方に設けることが好ましい。
【００４０】
従って、第２トレイ２００がローディングモータ１５０により摺動されてローディングが完了する時点になれば、リブ２２０が前記弾力アーム４００の各接触部４１０の間に挿入される。この時、前記弾力アーム４００が弾性的に変形されつつリブ２２０の上下面に弾性力を加えることになり、第２トレイ２００がローディング位置にロッキングされる。
【００４１】
前記ロッキング手段は、前述したように、第２レール３１０と一体に形成することが好ましく、これに限定されず、別途の弾性部材として製作して第２レール３１０またはメインフレーム３００に設けることも可能である。もし、別途の部材として製作された場合には、第１トレイ１１０を装着しようとする時に第２レール３１０と共にロッキング手段もメインフレーム３００から分離しなければならない。
【００４２】
図５は、本発明によるディスクガイド部材を示す斜視図である。
図示するように、前記第２トレイ２００に装着されるディスク１７１の外周面をガイドするディスクガイド部材５１０をさらに備えることも可能である。
【００４３】
前記ディスクガイド部材５１０はリブ２２０の上面２２１と若干の間隔をおいて上側に位置し、第２トレイ２００がローディング完了した時に第２トレイ２００に搭載されたディスク１７１の外周面とほとんど接触するように第２レール３１０から突設される。しかし、これに限定されず、ディスクガイド部材５１０を別途に製作して前記第２レール３１０またはメインフレーム３００に結合することも可能である。但し、別途に製作して結合すれば、第１トレイ１１０を装着しようとする場合には第２レール３１０と共にディスクガイド部材５１０も分離しなければならない。
【００４４】
光ディスクドライブは、図３Ａに示したように、水平に設けて使用できるが、場合によっては垂直に立てて使用することもできる。一般に、第２トレイ２００のディスク載置面２１１に形成された円周部は回転するディスク１７１と当接しないようにディスク１７１の外周面と遊びをおいてディスク１７１の直径より大きく形成されている。従って、光ディスクドライブを立てて使用する場合、第２トレイ２００に搭載されたディスク１７１が自重により前記遊びだけ下降するため、スピンドルモータ１２１のハブと中心とがずれる場合がある。従って、前述したように、ディスクガイド部材５１０を設けることにより、ディスク１７１の外周面が支持されてスピンドルモータ１２１のハブと中心とがずれることを防ぐことができる。
【００４５】
図６は、本発明によるトレイローディング装置の他の実施形態を示す分解斜視図である。
【００４６】
図示するように、トレイローディング装置には、メインフレーム６００と、メインフレーム６００に着脱自在に設けられるフロントガイド６２０及びリアガイド６４０が備えられている。
【００４７】
メインフレーム６００には、第１トレイ１１０の摺動をガイドする第１レール１４０がメインフレーム６００の左右壁から段差がつくように突設されており、左右壁の各々４ヶ所に前記フロントガイド６２０及びリアガイド６４０が結合できる四角形の貫通部６０１が形成されている。
【００４８】
フロントガイド６２０は、第２トレイ２００のリブ２２０が摺動自在に挿入される２ヶ所の“コ”字状の第１ガイド部６２１と、第２トレイ２００に搭載されたディスク１７１の外周面をガイドするディスクガイド部６２２及びメインフレーム６００と結合される２つの結合部６５０を備えている。前記ディスクガイド部６２２は第２トレイ２００のリブ２２０の上面２２１と若干の間隔をおいて上側に位置し、第２トレイ２００がローディング完了した時に第２トレイ２００に搭載されたディスク１７１の外周面とほとんど接触するように突設される。
【００４９】
また、リアガイド６４０は１ヶ所の前記第１ガイド部６２１と、前記第２トレイ２００が弾力的に挿入される一対の弾力アーム６４１とを備える。前記弾力アーム６４１は第２トレイに向かって上下方向に対面するように突設されてリブ２２０の上面２２１及び下面２２２に接触する接触部６４２を有し、前記接触部６４２間の上下間隔Ｔ６は第２トレイ２００の左右に形成されたリブ２２０の厚みＴ３より狭く形成される。
【００５０】
前記フロントガイド６２０及びリアガイド６４０には各々メインフレーム６００と結合できる結合部６５０を各々２ヶ所ずつ備えているが、前記結合部６５０はメインフレーム６００の壁に向かって延びたフックアーム６５１と、前記フックアーム６５１の端部に形成されたフック６５２とを備えている。
【００５１】
従って、メインフレーム６００に形成された貫通部６０１に前記結合部６５０を挿入すれば、フック６５２がメインフレーム６００の壁面に係止されつつフロントガイド６２０及びリアガイド６４０がメインフレーム６００に結合される。この時、フロントガイド６２０はメインフレーム６００の前方の左右壁に結合され、リアガイド６４０はメインフレーム６００の後方の左右壁に結合される。
【００５２】
続いて、ローディング動作について説明すれば、ディスク１７１が搭載可能に第２トレイ２００が光ディスクドライブの外側に摺動されれば、第２トレイ２００のリブ２２０はフロントガイド６２０に設けられた２つの第１ガイド部６２１に挿入された状態になり、第２トレイ２００が２ヶ所で支持される。
【００５３】
次に、ディスク１７１を搭載してローディングモータ１５０を回転させれば、ピニオンギア１６０を介してラックギア２３０に動力が伝達されて第２トレイ２００がローディングされる方向に摺動する。第２トレイ２００が摺動するに伴い、カム（図示せず）の作用によりデッキ部１２０が上昇し、スピンドルモータ１２１のハブがディスク１７１の中心に結合する。この時、第２トレイ２００のリブ２２０は前記リアガイド６４０に設けられたもう一つの第１ガイド部６２１を介して一対の接触部６４２の間に挿入されて前記弾力アーム６４１の弾性力によってロッキングされることによりローディングが完了する。
【００５４】
前記ディスクガイド部６２２は、光ディスクドライブを垂直に立てて使用する場合、ローディング中にディスク１７１の外周面をガイドしてディスク１７１の中心とスピンドルモータ１２１のハブの中心とがずれることを防ぐ。
【００５５】
このような構成により、ディスク１７１を搭載する第２トレイ２００を装着してローディングすることが可能である。もし、カートリッジ１７０を搭載する第１トレイ１１０を装着しようとする場合には、フロントガイド６２０及びリアガイド６４０を分離すれば良い。
【００５６】
【発明の効果】
上述したように、本発明による光ディスクドライブのトレイローディング装置によれば、第２レールまたはフロントガイド及びリアガイドを結合または分離することにより、ディスクを搭載するトレイ及びカートリッジを搭載するトレイを選択的に装着してローディングでき、前記２種類の場合にメインフレームを共用できてコスト下げにも有利である。
【００５７】
本発明は前記の如く説明しかつ図面に例示したところにより限定されることはなく、特許請求の範囲内であれば、一層多くの変形及び変更例が可能であるということは言うまでもない。
【図面の簡単な説明】
【図１Ａ】  従来の光ディスクドライブを示す分解斜視図である。
【図１Ｂ】  図１ＡのＡ−Ａ’線視断面図である。
【図１Ｃ】  図１Ａに示した光ディスクドライブの平面図である。
【図２Ａ】  ディスクを搭載する第２トレイを示す斜視図である。
【図２Ｂ】  図２Ａに示した光ディスクドライブに第２トレイを装着した場合の断面図である。
【図３Ａ】  本発明によるトレイローディング装置を採用した光ディスクドライブを示す分解斜視図である。
【図３Ｂ】  図３ＡのＢ−Ｂ’線視断面図である。
【図４Ａ】  本発明によるロッキング手段を示す斜視図である。
【図４Ｂ】  図４Ａに示したロッキング手段によるロッキング状態を示す断面図である。
【図５】  本発明によるディスクガイド部材を示す斜視図である。
【図６】  本発明によるトレイローディング装置の他の実施形態を示す分解斜視図である。
【符号の説明】
１２０  デッキ部
１２１  スピンドルモータ
１２２  光ピックアップ部
１２３  ハブ
１４０  第１レール
１５０  ローディングモータ
１５１  第１プーリ
１５２  ベルト
１５３  第２プーリ
１５４  アイドルギア
１６０  ピニオンギア
１７１  ディスク
２００  第２トレイ
２２０  リブ
２２１  リブの上面
２２２  リブの下面
３００  メインフレーム
３０１  貫通部
３１０  第２レール
３２０  レール
３３０  結合部
３３１  フックアーム
３３２  フック
３７０  上部ブラケット
【図１Ａ】
0003725128.tif 000002
【図１Ｂ】
0003725128.tif 000003
【図１Ｃ】
0003725128.tif 000004
【図２Ａ】
0003725128.tif 000005
【図２Ｂ】
0003725128.tif 000006
【図３Ａ】
0003725128.tif 000007
【図３Ｂ】
0003725128.tif 000008
【図４Ａ】
0003725128.tif 000009
【図４Ｂ】
0003725128.tif 000010
【図５】
0003725128.tif 000011
【図６】
0003725128.tif 000012